(57)【要約】【課題】２つのファスナの可動範囲が適切で、確実に締め付けを行うことにより体液の漏れを防止する。【解決手段】透液性の表面シート１０ａと、不透液性の裏面シート１０ｂと、表面シートと裏面シートとの間に腹側部１５から背側部１６にかけて介装される吸収体１２とからなる紙おむつ本体１０と背側部の両側方に延出して設けられる一対の止着部２０と、腹側部に設けられ、止着部を係止させるための被着部３０と、を有する使い捨て紙おむつ１において、止着部に側方に突出した第１ファスナ２１と第２ファスナ２２とが長手方向に並列させて形成し、更に、第１ファスナ及び第２ファスナの基端部２０ａにおける間２０ｃの第１の距離２０Ａが４０〜６０ｍｍとなるように、第１ファスナ或いは第２ファスナの基端部から先端部２０ｂまでの第２の距離２０Ｂが４５〜６５ｍｍになるように、第１の距離と、第２の距離の比が０．８〜１．２となるようにした。【選択図】　　　図１
2004024307.tif 000002
【特許請求の範囲】
【請求項１】
透液性の表面シートと、不透液性の裏面シートと、前記表面シートと前記裏面シートとの間に腹側部から背側部にかけて介装される吸収体とからなる物品本体と、前記物品本体の背側部の両側方に延出して設けられる一対の止着部と、前記物品本体の腹側部に設けられ、前記止着部を係止させるための被着部と、を有する吸収性物品において、
前記止着部には、側方に突出した第１ファスナと第２ファスナとが、前記物品本体の長手方向に並列して形成され、
前記第１ファスナと前記第２ファスナの基端部における間の第１の距離が４０〜６０ｍｍであり、
前記第１ファスナ及び前記第２ファスナの基端部から先端部までの第２の距離が４５〜６５ｍｍの長さであり、
前記第１の距離と、前記第２の距離の比が０．８〜１．２であることを特徴とする吸収性物品。
【請求項２】
前記第１ファスナ及び第２ファスナは、基材と、該基材上に固着された面ファスナの雄部材とを有し、
前記被着部は、前記物品本体の腹側部の前記裏面シート上に、前記面ファスナの雄部材を係止させるための面ファスナの雌部材を備えることを特徴とする請求項１記載の吸収性物品。
【請求項３】
前記第１ファスナ及び前記第２ファスナの基端部の長さと、前記第１ファスナと第２ファスナの先端部における間の距離が等しく、
前記第１ファスナ及び前記第２ファスナの先端部の長さと、前記第１の距離が等しくなっていることを特徴とする請求項１または２記載の吸収性物品。
【発明の詳細な説明】
【０００１】
【発明の属する技術分野】
この発明は、使い捨て吸収性物品に関し、特に成人用又は高月齢児用の吸収性物品に関する。
【０００２】
【従来の技術】
従来、使い捨て紙おむつ等に代表される吸収性物品は、透液性の表面シートと、不透液性の裏面シートと、前記表面シートと前記裏面シートとの間に腹側部から背側部にかけて介装される吸収体とを有する。そして、特に展開式の紙おむつにおいて、背側の一対のサイドフラップにファスナを形成し、このファスナを止着するためのターゲットテープを腹側に形成し、ファスナをターゲットテープに止着させて紙おむつを着用者に装着させる構造のものがある。
このうち、特に、成人や高月齢児用の紙おむつは大きく、また、胴周り及び脚周りのサイズが個人によって大きく異なるため、サイドフラップにファスナを２つずつ設け、脚周りと胴周りとを別々に締め付ける構造になっている紙おむつがある。このような２つのファスナ間の距離が長すぎると、フラップ部にしわが寄ってしまい漏れ易くなってしまう。逆に、２つのファスナの間の距離が短すぎると、それぞれのファスナの可動範囲が小さくなって、脚周りと胴周りとを別々に、好適に締め付けることが出来なくなってしまうという問題がある。
【０００３】
このような問題に対し、例えば、特開昭６２−２６８８０２号には、吸収性物品としての使い捨て紙おむつの背側に延出して設けられるサイドフラップ部に一対の止着部を固着し、この止着部の先端にスリットを設け、このスリットにより形成された二股部分で２つのファスナを形成し、この２つのファスナによりそれぞれ脚周りと胴周りとを別個に締め付ける発明が開示されている。この発明においては、２つのファスナ間の距離を調節することができるという利点がある。
【０００４】
【発明が解決しようとする課題】
しかしながら、上記の特開昭６２−２６８８０２号に開示される吸収性物品は、スリットが長すぎると、２つのファスナの重なり部分が大きくなり、その重なり部分から漏れが生じやすくなる。逆に、スリットが短すぎると、２つのファスナのそれぞれの可動範囲が小さくなってしまい、きちんと締め付けることが出来ずに漏れやすくなる上、スリットの末端部が裂けやすいという問題が生じる。また、このようなファスナを製造するためには、スリットを形成するためのスリットカッターを含め、複雑な設備が必要となり製造コストが高くなってしまう。
【０００５】
本発明は、上記事情に鑑みてなされたものであって、２つのファスナの可動範囲が適切であるとともに確実に締め付けを行うことにより体液の漏れを防止できる吸収性物品を提供することを目的とする。
【０００６】
【課題を解決するための手段】
上記課題を解決するため、請求項１記載の発明は、図１〜図９に示すように、透液性の表面シート（１０ａ）と、不透液性の裏面シート（１０ｂ）と、前記表面シートと前記裏面シートとの間に腹側部（１５）から背側部（１６）にかけて介装される吸収体（１２）とからなる物品本体（例えば、紙おむつ本体１０等）と、前記物品本体の背側部の両側方に延出して設けられる一対の止着部（２０）と、前記物品本体の腹側部に設けられ、前記止着部を係止させるための被着部（３０）と、を有する吸収性物品（例えば、使い捨て紙おむつ１等）において、前記止着部には、側方に突出した第１ファスナ（２１）と第２ファスナ（２２）とが、前記物品本体の長手方向に並列して形成され、
前記第１ファスナと前記第２ファスナの基端部（２０ａ）における間（２０ｃ）の第１の距離（２０Ａ）が４０〜６０ｍｍであり、
前記第１ファスナ及び前記第２ファスナの基端部から先端部（２０ｂ）までの第２の距離（２０Ｂ）が４５〜６５ｍｍの長さであり、
前記第１の距離と、前記第２の距離の比が０．８〜１．２であることを特徴とする。
【０００７】
請求項１記載の発明によれば、吸収性物品の止着部には、側方に突出した第１ファスナと第２ファスナとが、物品本体の長手方向に並列して形成され、第１ファスナと前記第２ファスナの基端部における間の第１の距離が４０〜６０ｍｍであり、第１ファスナ及び第２ファスナの基端部から先端部までの第２の距離が４５〜６５ｍｍの長さであり、第１の距離と、第２の距離の比が０．８〜１．２であるので、胴周りと、脚周りとを好適に締め付けることが可能となって、漏れ防止効果が更に向上する。
【０００８】
請求項２記載の発明は、請求項１記載の吸収性物品において、
前記第１ファスナ及び第２ファスナは、基材（例えば、止着部２０等）と、該基材上に固着された面ファスナの雄部材（ファスニングテープ２３）とを有し、前記被着部（３０）は、前記物品本体の腹側部の前記裏面シート上に、前記面ファスナの雄部材を係止させるための面ファスナの雌部材（例えば、被着部３０等）を備えることを特徴とする。
【０００９】
請求項２記載の発明によれば、請求項１記載の発明と同様の効果が得られるのは勿論のこと、特に、第１ファスナ及び第２ファスナは、基材と、該基材上に固着された面ファスナの雄部材とを有し、被着部は、物品本体の腹側部の裏面シート上に、面ファスナの雄部材を係止させるための面ファスナの雌部材が備えられているので、第１ファスナ及び第２ファスナの雄部材を雌部材に係止させることにより吸収性物品を容易かつ着脱自在に止着させることが出来る。
【００１０】
請求項３記載の発明は、請求項１または２記載の吸収性物品において、
前記第１ファスナ（２１）及び前記第２ファスナ（２２）の基端部（２０ａ）の長さ（２０Ｄ）と、前記第１ファスナと第２ファスナの先端部（２０ｂ）における間の距離（２０Ｅ）が等しく、
前記第１ファスナ（２１）及び前記第２ファスナ（２２）の先端部（２１ｂ）の長さ（２０Ｃ）と、前記第１の距離（２０Ａ）が等しくなっていることを特徴とする。
【００１１】
請求項３記載の発明によれば、請求項１または２記載の発明と同様の効果が得られるのは勿論のこと、特に、第１ファスナ及び第２ファスナの基端部の長さと、第１ファスナと第２ファスナの先端部における間の距離が等しく、第１ファスナ及び第２ファスナの先端部の長さと、第１の距離が等しくなっている。従って、基材部品を上記長さに切断することにより、第１ファスナと第２ファスナとを形成すると、切断された残りの片も、第１ファスナ及び第２ファスナと同形状に形成されることとなって、無駄なく容易に製造することが可能である。
【００１２】
【発明の実施の形態】
以下、本発明の実施の形態を、図面を参照しながら詳細に説明する。
本実施の形態では、吸収性物品として、特に、成人用の使い捨て紙おむつを一例として、以下で説明する。
【００１３】
図１は、本実施の形態における使い捨て紙おむつを展開した斜視図である。また、図２は、使い捨て紙おむつの装着時の状態に組立てた斜視図であり、図３は、平面展開図である。
図１〜図３に示すように、使い捨て紙おむつ（以下、紙おむつという。）１は、紙おむつ本体１０と、この紙おむつ本体１０を人体に装着するための止着部２０、２０と、止着部２０を係止させるための被着部３０とを備えている。
【００１４】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、このギャザーシート１３、１３よりも紙おむつ本体１０の幅方向の内側の吸収体１２上に、紙おむつ本体１０の長手方向に沿うように備えられる突出部１４、１４と、により主に構成される。
ここで、内側とは、紙おむつ１０の幅方向の中央側をいい、外側とは、紙おむつ１０の幅方向の中央から離れる側をいう。
【００１５】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００１６】
そして、紙おむつ本体１０の腹側部１５の端部１５１と、背側部１６の端部１６１とは、紙おむつ１が装着された際に、胴周りを形成するようになっている。特に、胴周りを形成する部分として、腹側部１５において股下部１７よりも両外側に延出した腹側延出部１５２、１５２と、背側部１６において股下部１７よりも両外側に延出した背側延出部１６２、１６２とが形成されている。また、背側部１６の背側延出部１６２、１６２の側縁部１６３、１６３には、それぞれ外側に突出した止着部２０、２０が設けられている。
【００１７】
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構成となっている。
【００１８】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００１９】
ギャザーシート１３、１３は、表面シート１０ａ側に、股下部１７においては、吸収体１２の中央部１２ａを挟む幅方向の両側部に、腹側部１５の長手方向の縁部１５４から背側部１６の長手方向の縁部１６４に亘ってそれぞれ備えられている。
【００２０】
このギャザーシート１３、１３の幅方向外側の部分は、図４に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっている。
ここで、ギャザーシート１３が裏面シート１０ｂ及び表面シート１０ａと固定される部分を固定部１３２といい、固定部１３２と自由部１３１との境目を基端部１３３とする。
【００２１】
ギャザーシート１３は、図４（ａ）に示すように、股下部１７における基端部１３３において幅方向外側に折り返される第１折り返し部１３ａと、基端部１３３と自由部１３１の先端の自由端部１３４との間の中間位置Ｐよりも自由端部１３４側において、幅方向内側に折り返される第２折り返し部１３ｂとが形成されている。
従って、この第１折り返し部１３ａと第２折り返し部１３ｂとで、断面略く字状及び逆く字状に立ち上がった立体ギャザーが形成される。尚、第１折り返し部１３ａは、股下部１７においては、基端部１３３にて形成されるのが望ましいが、これに限られず、第２折り返し部１３ｂは、基端部１３３と自由端部１３４の間の中間位置Ｐよりも自由端部１３４寄りであれば、何処であってもよい。
【００２２】
ギャザーシート１３の自由部１３１には、ギャザーシート１３の長手方向に沿って、複数の糸ゴム（弾性部材）１３ｃが略平行に備えられている。本実施の形態では、図４に示すように、第２折り返し部１３ｂに一本と、自由端部１３４に一本と、第２折り返し部１３ｂと自由端部１３４の間の自由端部１３４寄りに一本、計三本ずつ糸ゴム１３ｃが設けられている。そして、この糸ゴム１３ｃにより立体ギャザーシート１３は、着用者の体型に合わせて伸縮自在に変形し、着用者にフィットしやすい構造となっている。
また、第２折り返し部１３ｂに糸ゴム１３ｃが設けられることにより、第２折り返し部１３ｂと自由端部１３４との間に、平らに近い面が吸収体１２側に傾倒して形成されるので、体液がギャザーシート１３を越えて漏れ出すのを阻止する効果を高めることができる。
【００２３】
また、ギャザーシート１３の長手方向の先端部（腹側先端部１３５、背側先端部１３６）においては、自由部１３１の外側に折り返された第１折り返し部１３ａと、内側に折り返された第２折り返し部１３ｂとが、例えば、ホットメルト等のヒートシールにより固着されている。
【００２４】
また、ギャザーシート１３の基端部１３３は、図５に示すように、吸収体１２の腹側端部１２ｂ、背側端部１２ｃ上において、幅方向外側に向かって湾曲した凹部形状となっており、ギャザーシート１３の自由部１３１の幅方向の長さは、股下部１７の幅方向の長さよりも大きくなっている。これにより、図１、図３に示すように、ギャザーシート１３と表面シート１０ａとの間にポケット部１００、１００、１００、１００が、腹側部１５、背側部１６とにそれぞれ２つずつ、計４つ形成されている。従って、例えば、紙おむつ１の着用時に、不液透過性の立体ギャザーシート１３で遮断された体液が、不液透過性の立体ギャザーシート１３の長手方向に沿って移動すると、移動した体液は、腹側部１５或いは背側部１６のポケット部１００に到達して一旦貯留された後、徐々にポケット部１００の下方の吸収体１２に吸収されることとなって、横漏れ防止の効果を更に向上させることができる。また、ポケット部１００は、腹側延出部１５２及び背側延出部１６２の面積に対して、１０〜８０％の大きさに形成されている。ここで、上記範囲に形成されている理由は、１０％より小さい場合には、ポケット部１００における体液吸収の効果が小さくなるからであり、８０％より大きい場合には、腹側延出部１５２及び背側延出部１６２の横或いは後方から漏れてしまう可能性があるからである。
【００２５】
また、固定部１３２において、ギャザーシート１３、１３と裏面シート１０ｂとの間には、脚開口部１８、１８の両縁部から腹側部１５の腹側延出部１５２、１５２、及び背側部１６の背側延出部１６２、１６２にかけて、脚開口部１８、１８の両側縁部の湾曲形状に合わせて糸ゴム等の弾性部材１３ｄがそれぞれ設けられ、この弾性部材１３ｄにより平面ギャザー１３７、１３７が形成されている。
これにより、着用者の脚周りに伸縮自在にフィットし、横漏れを防止するようになっている。この平面ギャザー１３７、１３７の長さは、例えば、３００〜６００ｍｍとなっている。尚、本実施の形態では、図３に示すように、弾性部材１３ｄとしての糸ゴムが、左右それぞれ３本ずつ備えられている。
【００２６】
また、図１、図３、図５に示すように、背側部１６において、不液透過性の不織布等からなるバックギャザーシート１９の幅方向の端部１９ａ、１９ｂが左右のギャザーシート１３、１３の間を掛け渡すように固着されている。そして、このバックギャザーシート１９の長手方向背側端部１９ｃが、裏面シート１０ｂに固着され、縁部１６４において平面ギャザー１６５を形成している。また、バックギャザーシート１９の長手方向腹側端部１９ｄは、固定されておらず、表面シート１０ａ上を一部覆う様に延出しており、その先端部分に糸ゴムが幅方向に沿って設けられ、伸縮可能に形成されている。そして、このバックギャザーシート１９と、表面シート１０ａとの間の隙間に、後ポケット部２００が形成されることとなって、後漏れを防止する機能を果たしている。
【００２７】
突出部１４、１４は、吸収体１２上面に、ギャザーシート１３、１３よりも幅方向内側で長手方向に沿って設けられている。この突出部１４、１４には、紙おむつ本体１０の表面シート１０ａ上に配置され、図６に示すように、体液を吸収するインナーパッドＰの側部を固定させることができる。尚、図６は、紙おむつ１の表面シート１ａ上にインナーパッドをセットしたことを仮定した、図１のＡ―Ａ’断面図である。
この突出部１４、１４は、表面シート１０ａを長手方向に沿って二つ折りにした部分を固着させることにより表面シート１０ａの一部を突出させて形成される。
この突出部１４、１４の長手方向端部１４１、１４２は、突出部１４、１４が内側に倒れるように表面シート１０ａ上に固着されている。
【００２８】
また、突出部１４の基端部１４５から先端部１４５までの延出した部分は、５〜５０ｍｍの長さであって、インナーパッドＰを固定するとともに、股下部１７で排出された体液の横方向の流れの勢いを和らげ、長手方向に分散させるのに好適なサイズになっている。また、突出部１４の基端部１４４から先端部１４５までの突出部分の長さは、５〜５０ｍｍに形成されているが、更に、ギャザーシート１３の基端部１３３と自由端部１３４の間の長さよりも小さく形成されており、ギャザーシート１３による横漏れ防止機能を阻止しないようになっている。
また、左右の突出部１４、１４の幅方向の間隔は、１００〜３００ｍｍであるように形成されている。一般的にインナーパッドＰと呼ばれる吸収性物品の幅方向の長さが、１００〜３００ｍｍであるため、突出部１４、１４の幅方向の間隔も、インナーパッドＰの幅方向の長さと略同じ長さに形成されている。また、突出部１４、１４の幅方向の間隔は、広く用いられているインナーパッドＰとの関係により、より好ましくは１６０〜２００ｍｍに形成されているものとする。
【００２９】
また、この突出部１４、１４の先端部分には糸ゴム１４ａが設けられており、インナーパッドＰを上面からも固定可能になっている。
この糸ゴム１４ａの弾性率は、２５０％以下であり、弾性力は２０ｇｆ以下であるように突出部１４に備えられている。ここで、糸ゴム１４ａの弾性率は２５０％以下で、弾性力が２０ｇｆ以下であるのは、それより大きい場合には、糸ゴム１４ａの弾性力によって吸収体１２が収縮してしまうこととなって、装着した場合に吸収体１２の一部が重なる等して吸収を妨げしまうからである。
【００３０】
尚、インナーパッドＰに面ファスナの一方の係止部材を設け、突出部１４の内面１４３のインナーパッドＰとの接触部分に数カ所、面ファスナの他方の係止部材を設け、インナーパッドＰのずれを更に防止する構成であってもよい。また、突出部１４は、表面シート１０ａの一部から形成されている構成で説明したが、突出部１４は表面シート１０ａと異なる他の部材から形成されていてもよい。具体的には、吸収体１２による体液の吸収を妨げない透液性シートを紙おむつ本体１０の長手方向に沿って表面シート１０ａ上に突出させて設けるようにしてもよい。
【００３１】
止着部２０、２０は、例えば、不織布等で形成されており、背側部１６の延出部１６２、１６２の左右側方に突出するように、備えられている。そして、止着部２０、２０の両側部は、それぞれ凸状の第１ファスナ２１ａ、２１ｂと、第２ファスナ２２ａ、２２ｂとが長手方向に２つ設けられている。第１ファスナ２１ａ、２１ｂ、第２ファスナ２２ａ、２２ｂには、それぞれ面ファスナの雄部材であるファスニングテープ２３が備えられている。そして、この４つのファスニングテープ２３、２３、２３、２３が、腹側部１５の裏面シート１０ｂ上に備えられている、面ファスナの雌部材からなる被着部３０に係止するようになっていて、背側端部側の第１ファスナ２１ａ、２１ｂは胴周りを締め付け、股下部１７側の第２ファスナ２２ａ、２２ｂは脚周りを締め付け可能な構造となっている。
【００３２】
ここで、図７に示す、第１ファスナ２１ａ、２１ｂと、第２ファスナ２２ａ、２２ｂの基端部２０ａにおける間（２０ｃ）の距離（２０Ａ）（第１の距離）は、４０〜６０ｍｍであり、第１ファスナ２１及び第２ファスナ２２の基端部２０ａから先端部２０ｂの距離（２０Ｂ）（第２の距離）は、４５〜６５ｍｍであり、２０Ａと２０Ｂの比である２０Ａ／２０Ｂは、０．８〜１．２となっている。
【００３３】
２０Ａを上記範囲とした理由は、６０ｍｍを超えると、止着部２０の、第１ファスナ２１と、第２ファスナ２２の間の部分にしわが寄って体液が漏れ易くなるからである。一方、４０ｍｍ未満では、第１ファスナ２１と、第２ファスナ２２の可動範囲が制限されるため、胴周りと脚周りの両方を同時に好適に締め付けることが困難となるからである。
２０Ｂを上記範囲とした理由は、６５ｍｍを超えると、第１ファスナ２１と、第２ファスナ２２による締め付けが弱くなって体液が漏れ易くなるからである。一方、４５ｍｍ未満では、第１ファスナ２１と、第２ファスナ２２の可動範囲が制限されるため、胴周りと脚周りの両方を同時に好適に締め付けることが困難となるからである。
【００３４】
図９に示す表は、本発明にかかる紙おむつ１と、他の比較例の紙おむつを用いて漏れ試験を行った結果データを示したものである。漏れ試験の方法は、体液を仮定した液体の排出が可能なモデル人形に、試験対象となる吸収性物品（紙おむつ）を装着させ、一回１５０ｃｃ毎にモデルに液体等を排出させ、漏れ出すまで繰り返して実行した。このとき、モデルは、横向き、仰向きの２種類の寝かせ方で試験を行った。
【００３５】
そして、図９に示すように、本発明にかかる吸収性物品のうち、一の実施例として、２０Ａが５０ｍｍで、２０Ｂが５１ｍｍで、２０Ａ／２０Ｂが０．９８の紙おむつを用いた。
また、比較例１として、２０Ａが６５ｍｍ、２０Ｂが４５ｍｍ、２０Ａ／２０Ｂが１．４に形成されている紙おむつを、比較例２として、２０Ａが７２ｍｍ、２０Ｂが４５ｍｍ、２０Ａ／２０Ｂが１．６に形成されている紙おむつを、比較例３として、２０Ａが３６ｍｍ、２０Ｂが４９ｍｍ、２０Ａ／２０Ｂが０．７３に形成されている紙おむつを用いた。尚、実施例、比較例１〜３は、止着部２０以外の条件は、全く同一であるとする。
【００３６】
そして、実施例の紙おむつが漏れ出すまでに吸収可能であった量を、横向き、仰向けのそれぞれにおいて１００とした場合、比較例１は、それぞれ８２、９０、比較例２は、８５、９１、比較例３は、７８、８６であった。また、本発明の範囲である２０Ａが４０〜６０ｍｍ、２０Ｂが４５〜６５ｍｍ、２０Ａ／２０Ｂが０．８〜１．２に形成されている複数の紙おむつの平均結果は、共に９５、９５であった。以上からわかるように、実施例のサイズがもっとも好ましく、本発明にかかる範囲内の平均データも、比較例１〜３に比べて明らかに漏れにくいことがわかる。特に、横向きにしたときの結果の差が顕著であり、本発明の止着部２０の漏れ防止効果が極めて高いことがわかる。
【００３７】
第１ファスナ２１及び第２ファスナ２２の基端部２０ａの長さ（２０Ｄ）と、第１ファスナ２１と第２ファスナ２２の先端部２０ｂにおける間の距離（２０Ｅ）が等しく、第１ファスナ２１及び第２ファスナ２２の先端部２０ｂの長さ（２０Ｃ）と、第１ファスナ２１と第２ファスナ２２の基端部２０ａにおける間（２０ｃ）の距離（２０Ａ）が等しくなっている。従って、例えば、図８に示すように、第１ファスナ２１及び第２ファスナ２２の基端部２０ａの長さ（２０Ｄ）をｘとし、第１ファスナ２１及び第２ファスナ２２の先端部２０ｂの長さ（２０Ｃ）をｙとしたとき、止着部２０の材料となる不織布３０等にファスニングテープ２３を固着した上で、上記した長さとなるように切断することにより、第１ファスナ２１、第２ファスナ２２を形成すると、残りの片も同形状となるので、２つのファスナが交互に向かい合ったようになり、無駄なく容易に製造することが可能である。
【００３８】
また、第１ファスナ２１及び第２ファスナ２２は、先端部２０ｂを指先でつまみ易い程度に基端部２０ａから先端部２０ｂにかけて幅が狭くなるように形成されている。また、ファスニングテープ２３は、第１ファスナ２１、第２ファスナ２２の先端部２０ｂから指先でつまめる程度の間隔を開けた部分に備えられている。また、ファスニングテープ２３は、第１ファスナ２１、第２ファスナ２２の基端部２０ａからも適度な間隔を開けた位置に設けられる。ここで、ファスニングテープ２３と基端部２０ａとの間が狭すぎると、着用者への締め付けがきつくなり、逆に間が広すぎると、外れやすくなるからである。
【００３９】
このように、本実施の形態による紙おむつ１によれば、止着部２０の第１ファスナ２１と第２ファスナ２２の基端部２０ａにおける間（２０ｃ）の距離（２０Ａ）が４０〜６０ｍｍに形成され、第１ファスナ２１及び第２ファスナ２２の基端部２０ａから先端部２０ｂの距離（２０Ｂ）が４５〜６５ｍｍに形成され、２０Ａ／２０Ｂが０．８〜１．２に形成されているので、胴周りと脚周りとを個別に、好適に締め付けることが可能となって、横向き、仰向け共に漏れ防止の効果が極めて高い。
【００４０】
尚、上記の実施の形態は、本発明を例示したに過ぎず、適宜変更可能である。例えば、第１ファスナ２１、第２ファスナ２２の形状は、上述の範囲内であれば同一でなくともよく、先端部２０ｂもその傾斜角度は限定されるものではなく、また形状も四角形状でなく丸みを帯びた形状やテーパ状等であってもよい。また、第１ファスナ２１、第２ファスナ２２は、背側部１６の縁部１６４と略平行に形成されているが、これに限定されるものではなく、例えば、第２ファスナ２２は、脚周りを固定しやすいように股下部１７方向に向かって斜めに設ける等の構造であってもよい。
【００４１】
また、第１ファスナ２１、第２ファスナ２２は、不織布の他、弾性部材から形成されていてもよい。また、ファスニングテープ２３は、面ファスナの雄部材等の他、例えば、粘着テープ等であり、被着部３０は粘着テープが着脱自在なフィルム等を備えている構造であってもよい。
【００４２】
【発明の効果】
請求項１記載の発明によれば、吸収性物品の止着部には、側方に突出した第１ファスナと第２ファスナとが、物品本体の長手方向に並列して形成され、第１ファスナと前記第２ファスナの基端部における間の第１の距離が４０〜６０ｍｍであり、第１ファスナ及び第２ファスナの基端部から先端部までの第２の距離が４５〜６５ｍｍの長さであり、第１の距離と、第２の距離の比が０．８〜１．２であるので、胴周りと、脚周りとを好適に締め付けることが可能となって、漏れ防止効果が更に向上する。
【００４３】
請求項２記載の発明によれば、請求項１記載の発明と同様の効果が得られるのは勿論のこと、特に、第１ファスナ及び第２ファスナは、基材と、該基材上に固着された面ファスナの雄部材とを有し、被着部は、物品本体の腹側部の裏面シート上に、面ファスナの雄部材を係止させるための面ファスナの雌部材が備えられているので、第１ファスナ及び第２ファスナの雄部材を雌部材に係止させることにより吸収性物品を容易かつ着脱自在に止着させることが出来る。
【００４４】
請求項３記載の発明によれば、請求項１または２記載の発明と同様の効果が得られるのは勿論のこと、特に、第１ファスナ及び第２ファスナの基端部の長さと、第１ファスナと第２ファスナの先端部における間の距離が等しく、第１ファスナ及び第２ファスナの先端部の長さと、第１の距離が等しくなっている。従って、第１ファスナと第２ファスナとを基材部品を上記長さに切断して形成すると、切断された残りの片にも同様に第１ファスナ及び第２ファスナと同形状に形成されることとなって、無駄なく容易に製造することが可能である。
【図面の簡単な説明】
【図１】本発明を適用した紙おむつ１の展開斜視図である。
【図２】図１のおむつの装着時における斜視図である。
【図３】図１の紙おむつの展開平面図である。
【図４】（ａ）は、図１のＡ−Ａ’断面図であり、（ｂ）は、図１のＢ−Ｂ’断面図である。
【図５】図１の背側部１６の一部を拡大した断面斜視図である。
【図６】図１の紙おむつにインナーパッドＰを装着した場合におけるＡ−Ａ’断面仮想図である。
【図７】図１の止着部２０の拡大図である。
【図８】止着部２０の製造方法の一例を説明するための図である。
【図９】本発明を適用した紙おむつと、他の比較例の紙おむつを用いて漏れ実験を行った実験結果データを示した表である。
【符号の説明】
１　使い捨て紙おむつ（吸収性物品）
１０　紙おむつ本体（物品本体）
１０ａ　表面シート
１０ｂ　裏面シート
１２　吸収体
１３　ギャザーシート
１５　腹側部
１６　背側部
１７　股下部
２０　止着部（基材）
２０ａ　第１ファスナ及び第２ファスナの基端部
２０ｂ　第１ファスナ及び第２ファスナの先端部
２０ｃ　第１ファスナと第２ファスナの基端部における間
２０Ａ　第１ファスナと第２ファスナの基端部における間（２０ｃ）の距離（第１の距離）
２０Ｂ　第１ファスナ及び第２ファスナの基端部から先端部の距離（第２の距離）
２０Ｃ　第１ファスナ及び第２ファスナの先端部（２０ｂ）の長さ
２０Ｄ　第１ファスナ及び第２ファスナの基端部（２０ａ）の長さ
２０Ｅ　第１ファスナと第２ファスナの先端部（２０ｂ）における間の距離
２１　第１ファスナ
２２　第２ファスナ
２３　ファスニングテープ（面ファスナの雄部材）
３０　被着部（面ファスナの雌部材）
【図１】
2004024307.tif 000003
【図２】
2004024307.tif 000004
【図３】
2004024307.tif 000005
【図４】
2004024307.tif 000006
【図５】
2004024307.tif 000007
【図６】
2004024307.tif 000008
【図７】
2004024307.tif 000009
【図８】
2004024307.tif 000010
【図９】
2004024307.tif 000011